(57)【特許請求の範囲】
【請求項１】
単一フォント形式のフォントが格納されて印刷を行う印刷手段を備える多フォント対応印刷システムであって、
必要に応じて字形を作成し、必要な総ての字形、及び当該字形の夫々に付与した統一文字コードを管理する統一文字管理手段と、
前記単一フォント形式以外の他フォント形式で使用されているフォントに付されている個別文字コードのコード系と前記統一文字コードのコード系とが関連付けられたテーブルが、当該他フォント形式毎に夫々コード変換テーブルとして所定数格納されるテーブル格納手段と、
前記テーブルのうち一のコード変換テーブルを参照して、夫々の前記個別文字コードについて対応する統一文字コードにより前記統一文字管理手段で管理されている該当の字形を抽出し、抽出した字形の統一文字コードを当該個別文字コードに変換するものであって、これらを前記コード変換テーブル毎に行うコード付与手段と、
前記コード変換テーブル毎におけるそれぞれの個別文字コードが付された抽出字形を、前記単一フォント形式にフォント化して個別コード対応フォントを作成し、これらを当該コード変換テーブル毎に対応させたものとして前記印刷手段に格納させるフォント化手段と、
印刷における属性条件を設定する条件設定手段を備え、入力される前記他フォント形式による印刷データに基づき、前記印刷手段に格納した単一フォント形式にフォント化した個別コード対応フォントを用いて当該単一フォント形式対応の印刷データファイルを作成するものであり、当該印刷手段において上記作成した印刷データファイルより特定された上記個別コード対応フォントを選出させて印刷を行なわせるためのファイル作成手段と、
を有することを特徴とする多フォント対応印刷システム。
【請求項２】
請求項１記載の多フォント対応印刷システムであって、前記単一フォント形式のフォントは、ページ記述言語に対応したフォントであることを特徴とする多フォント対応印刷システム。
【請求項３】
単一フォント形式のフォントが印刷手段に格納されて印刷を行う印刷方法であって、
必要に応じて字形を作成し、必要な総ての字形、及び当該字形の夫々に統一文字コードを付与して統一文字管理手段で管理させるステップと、
前記単一フォント形式以外の他フォント形式で使用されているフォントに付されている個別文字コードのコード系と前記統一文字コードのコード系とが関連付けられたテーブルが、当該他フォント形式毎に夫々コード変換テーブルとしてテーブル格納手段に所定数格納されており、一のコード変換テーブルを参照して、夫々の前記個別文字コードについて対応する統一文字コードにより前記統一文字管理手段で管理されている該当の字形を抽出し、抽出した字形の統一文字コードを当該個別文字コードに変換することを前記コード変換テーブル毎に行うステップと、
前記コード変換テーブル毎におけるそれぞれの個別文字コードが付された抽出字形を、前記単一フォント形式にフォント化して個別コード対応フォントを作成するステップと、
これらを当該コード変換テーブル毎に対応させたものとして前記印刷手段に格納するステップと、
を含むことを特徴とする印刷方法。
【請求項４】
請求項３記載の印刷方法であって、前記単一フォント形式のフォントは、ページ記述言語に対応したフォントであることを特徴とする印刷方法。
【請求項５】
請求項３又は４記載の印刷方法であって、
入力される前記他フォント形式による印刷データに基づき、印刷における属性条件を設定して前記単一フォント形式対応の印刷データファイルを作成し、
前記印刷手段が、作成された前記印刷データファイルより特定された前記個別コード対応フォントを選出して印刷を行うことを特徴とする印刷方法。
【請求項６】
請求項１又は２に記載の多フォント対応印刷システム及び請求項３〜５に記載の印刷方法に用いられる記録媒体であって、
必要に応じて字形を作成し、必要な総ての字形と、当該字形の夫々に付与した統一文字コードとが少なくとも記録されてなることを特徴とする記録媒体。
【発明の詳細な説明】
【０００１】
【発明の属する技術分野】
本発明は、単一フォント形式の印刷装置で印刷を行うための多フォント対応印刷システム及び印刷方法及びこれらに使用される統一文字コード対応フォントが記録された記録媒体に関する。
【０００２】
【従来の技術】
近年、所定のフォント形式で印字品質、印字速度の優れた印刷を大量に行うことができる高機能な印刷装置の利用が広まっている。このような印刷装置は、フォント形式が単一で他のフォント形式の印刷データに基づいては印刷することができない。そのため、このような単一フォント形式の印刷装置であっても他のフォント形式で印刷可能とされることが望まれている。
【０００３】
従来、単一のフォント形式の印刷装置として、例えばポストスクリプトフォント形式で印刷するプリンタが知られている。ポストスクリプト（以下、ＰＳと称す）は、アドビシステムズ社が提唱するページ記述言語であり、ＰＳ言語が扱うフォント形式のものがＰＳフォントである。このようなＰＳプリンタは、使用できるフォントが上記ＰＳフォントのみであり、文字コード系はパーソナルコンピュータのデータを印字することを目的とされていることから、いわゆるシフトＪＩＳ（日本工業規格）で標準化されたコード系のみである。
【０００４】
すなわち、上記ＰＳプリンタは、上記文字コード系に対応した印字データ、属性データの印刷データが、ＰＳ形式のコマンドで構成されたＰＳファイルとして入力される。そして、上記ＰＳファイルに基づいて当該プリンタ内のＣＰＵ（中央演算処理ユニット）によって実行されることでＰＳフォントによる高品質な印刷が大量に行われるものである。
【０００５】
【発明が解決しようとする課題】
しかしながら、国内では各社独自でコンピュータシステムにおけるメインフレーム漢字コードでフォントが管理されており、文字コード系が各社で異なっているのが現状である。また、ＪＩＳコード以外の文字（ＪＩＳ第１水準、ＪＩＳ第２水準以外の文字）が各社独自で拡張して有しており、その文字コード系も各社独自で体系づけられているのが現状である。したがって、各社独自の文字コード系により作成された印刷データは、当該文字コード系を有するプリンタにしか使用することができず、上記のＰＳプリンタのような高機能なプリンタでは印刷することができないという問題がある。
【０００６】
そこで、本発明は上記課題に鑑みなされたもので、単一フォント形式の印刷装置に対して、文字が拡張された他のフォント形式で印刷を可能とする多フォント対応印刷システム及び印刷方法及びこれらに使用される統一文字コード対応フォントが記録された記録媒体を提供することを目的とする。
【０００７】
【課題を解決するための手段】
上記課題を解決するために、請求項１の発明では、単一フォント形式のフォントが格納されて印刷を行う印刷手段を備える多フォント対応印刷システムであって、
必要に応じて字形を作成し、必要な総ての字形、及び当該字形の夫々に付与した統一文字コードを管理する統一文字管理手段と、前記単一フォント形式以外の他フォント形式で使用されているフォントに付されている個別文字コードのコード系と前記統一文字コードのコード系とが関連付けられたテーブルが、当該他フォント形式毎に夫々コード変換テーブルとして所定数格納されるテーブル格納手段と、前記テーブルのうち一のコード変換テーブルを参照して、夫々の前記個別文字コードについて対応する統一文字コードにより前記統一文字管理手段で管理されている該当の字形を抽出し、抽出した字形の統一文字コードを当該個別文字コードに変換するものであって、これらを前記コード変換テーブル毎に行うコード付与手段と、前記コード変換テーブル毎におけるそれぞれの個別文字コードが付された抽出字形を、前記単一フォント形式にフォント化して個別コード対応フォントを作成し、これらを当該コード変換テーブル毎に対応させたものとして前記印刷手段に格納させるフォント化手段と、印刷における属性条件を設定する条件設定手段を備え、入力される前記他フォント形式による印刷データに基づき、前記印刷手段に格納した単一フォント形式にフォント化した個別コード対応フォントを用いて当該単一フォント形式対応の印刷データファイルを作成するものであり、当該印刷手段において上記作成した印刷データファイルより特定された上記個別コード対応フォントを選出させて印刷を行なわせるためのファイル作成手段と、を有して構成される。
【０００８】
請求項２の発明では、請求項１記載の多フォント対応印刷システムであって、前記単一フォント形式のフォントは、ページ記述言語に対応したフォントである構成とする。
【００１１】
請求項３の発明では、単一フォント形式のフォントが印刷手段に格納されて印刷を行う印刷方法であって、必要に応じて字形を作成し、必要な総ての字形、及び当該字形の夫々に統一文字コードを付与して統一文字管理手段で管理させるステップと、前記単一フォント形式以外の他フォント形式で使用されているフォントに付されている個別文字コードのコード系と前記統一文字コードのコード系とが関連付けられたテーブルが、当該他フォント形式毎に夫々コード変換テーブルとしてテーブル格納手段に所定数格納されており、一のコード変換テーブルを参照して、夫々の前記個別文字コードについて対応する統一文字コードにより前記統一文字管理手段で管理されている該当の字形を抽出し、抽出した字形の統一文字コードを当該個別文字コードに変換することを前記コード変換テーブル毎に行うステップと、前記コード変換テーブル毎におけるそれぞれの個別文字コードが付された抽出字形を、前記単一フォント形式にフォント化して個別コード対応フォントを作成するステップと、これらを当該コード変換テーブル毎に対応させたものとして前記印刷手段に格納するステップと、を含む構成である。
【００１２】
請求項４の発明では、請求項３記載の印刷方法であって、前記単一フォント形式のフォントは、ページ記述言語に対応したフォントである構成とする。
【００１３】
請求項５の発明では、請求項３又は４記載の印刷方法であって、入力される前記他フォント形式による印刷データに基づき、印刷における属性条件を設定して前記単一フォント形式対応の印刷データファイルを作成し、前記印刷手段が、作成された前記印刷データファイルより特定された前記個別コード対応フォントを選出して印刷を行う構成とする。
【００１５】
請求項６の発明では、請求項１又は２に記載の多フォント対応印刷システム及び請求項３〜５に記載の印刷方法に用いられる記録媒体であって、必要に応じて字形を作成し、必要な総ての字形と、当該字形の夫々に付与した統一文字コードとが少なくとも記録される構成である。
【００１６】
他フォント形式の個別文字コード系と統一文字コード系とが関連づけられたテーブルから当該個別文字コード系の字形が統一文字コード系で特定される字形として抽出し、抽出字形の統一文字コードを該当個別文字コードに変換し、単一フォント形式にフォント化したフォントとして印刷手段に他フォント形式毎に格納させておき、他フォント形式の印刷データに基づき当該格納された単一フォント形式にフォント化したフォントを使用して印刷させることによって、他フォント形式の印刷データであっても単一フォント形式による印刷手段で多フォント対応の印刷が可能となる。また、個別文字コード系を使用するにあたり、複数の他フォント形式に対応した必要な総ての字形に統一文字コードを付与することで当該字形を一元的に管理することが可能となる。
【００１７】
【発明の実施の形態】
以下、本発明の好ましい一実施形態を図により説明する。
図１に、本発明の多フォント対応印刷システムにおけるフォント作成システムの基本構成図を示す。図１に示すフォント作成システム１１は、前述のＰＳプリンタに適用させた場合を例としたもので、統一文字管理手段を構成する字形作成手段１２及び文字管理ＤＢ（データベース）１３と、テーブル格納手段であるコード変換テーブル格納手段１４と、コード付与手段１５と、フォント化手段であるＰＳフォント化手段１６と、ＰＳフォント格納部１７Ａを備える印刷手段１７とを有して構成される。
【００１８】
字形作成手段１２は、字形を例えばアウトライン形式又はビットマップ形式等で作成する。例えば既存のＪＩＳコード系で特定される字形（文字）をそのまま使用する場合には、それ以外の各社（Ａ社、Ｂ社、Ｃ社・・・）メインフレームで使用されている拡張された夫々の字形を作成する。そして、作成した字形及び使用したＪＩＳコード系で特定される字形の夫々に統一文字コードを付与する。これらが文字管理ＤＢ１３に格納されるものである。（図２で説明する）。なお、字形作成手段１２において、ＪＩＳコード系で特定される字形を別に作成してもよい。
【００１９】
すなわち、統一文字コード及びこれが付された総ての字形のデータは、記録媒体の一として定義する上記文字管理ＤＢ１３に格納（記録）されるものであるが、その他記憶装置、ハードディスク、ディスク等の記録媒体に記録させてもよい。これによって、字形を一元的に管理することができると共に、運搬可能とすることができ、既存の単一フォント形式対応の印刷手段にも適用させることができるものである。
【００２０】
コード変換テーブル格納手段１４は、各社メインフレームの個別文字コード系と上記文字管理ＤＢ１３に格納された統一文字コード系とが関連づけられたテーブルのうち一のコード変換テーブル（例えばＡ社コード変換テーブル、図２で説明する）が、各社毎にそれぞれ格納されている。また、コード付与手段１５は、一のコード変換テーブルから個別文字コードに対応する統一文字コードをそれぞれ特定して文字管理ＤＢ１３より該当の字形を抽出し、それぞれの字形の統一文字コードを当該個別文字コード系の該当文字コードに変換するものであって、これらを各社コード変換テーブル毎に行う（図３で説明する）。
【００２１】
ＰＳフォント化手段１６は、各社コード変換テーブル毎のそれぞれの個別文字コードに対する抽出字形を、上記ＰＳフォント形式にフォーマット化（フォント化）して個別コード対応ＰＳフォント１６Ａ、１６Ｂ、１６Ｃ・・・を作成し、これらを各社コード変換テーブル毎に対応させたものとして上記印刷手段１７のＰＳフォント格納部１７Ａに格納させるものである（図３で説明する）。
【００２２】
ここで、図２に図１の文字管理ＤＢ及びコード変換テーブル格納手段の説明図を示す。図２（Ａ）は、字形作成手段１２で作成した字形及び使用したＪＩＳコード系で特定される字形に付された統一文字コードが格納された文字管理ＤＢ１３の内容の概念図であり、文字、記号等の字形（図示せず）と、これらに独自に割り付けた統一文字コードとで構成される。上記字形は、図示されていないが、使用され、又は使用されうる文字、記号等であり、例えばいわゆるアウトラインデータとして格納されている。
【００２３】
また、統一文字コードは、上記総ての字形に対して例えば２バイトでコード割り付けしたもので、前述のＪＩＳコード系に対応した文字に対するものと、各社（Ａ社、Ｂ社、Ｃ社、・・・、Ｎ社）が上記ＪＩＳコード対応文字以外に独自にそれぞれ作成した拡張文字に対するものとに、統一したコードを付与したものである。したがって、少なくとも現存する各社メインフレーム漢字コード系の字形と、その字形に付与された統一文字コードとが当該文字管理ＤＢ（又は記録媒体）１３に格納されるものである。なお、格納される字形には今後使用されるであろうものを含めてもよいことはもちろんである。
【００２４】
このように、ＪＩＳコード対応文字と各社独自の対応文字とに、統一文字コードを付与することによって、あらゆる文字の字形と、その文字コード系を一元的に管理することができるものである。
【００２５】
また、図２（Ｂ）は、コード変換テーブル格納手段１４の概念図を示したもので、各社個別文字コード系と上記統一文字コード系とが関連づけられたコード変換テーブルが各社毎にそれぞれ格納されたものである。この場合、必要に応じてコード変換テーブル内容の変更や、コード変換テーブルの増減が可能であることはもちろんである。
【００２６】
続いて、図３に、図１のコード付与手段及び印刷手段の説明図を示す。図３（Ａ）は、コード付与手段１５の基本構成図を示したもので、コード変換テーブル格納手段１４から指定された変換テーブルを取り込むコード変換テーブル取込部２１と、文字管理ＤＢ１３から字形を取り込む統一フォントデータ取込部２２を備える。また、コード変換テーブル取込部２１で取り込んだコード変換テーブルを参照して統一フォントデータ取込部２２からのデータから字形を抽出する文字抽出部２３を備え、文字抽出部２３からの抽出文字（字形）の統一文字コードを、コード変換テーブル取込部２１からの個別文字コードに変換するコード変換部２４を備える。そして、各当該個別文字コードが付与された字形のそれぞれをファイルとして作成し、一旦格納するフォントファイル作成手段２５を備えるものである。
【００２７】
また、図３（Ｂ）は、印刷手段１７の概略図を示したもので、上記ＰＳフォント化手段１６から送られてくるＰＳフォント化された各社のコード対応ＰＳフォント１６Ａ，１６Ｂ，１６Ｃ・・・１６Ｎを、ＰＳフォント格納手段１７Ａにそれぞれコード対応ＰＳフォント１７Ａ−１，１７Ａ−２，１７Ａ−３・・・１７Ａ−Ｎとして格納するものである。
【００２８】
そこで、図４に、図１のフォント作成を説明するためのフローチャートを示す。図４において、まず既存のＪＩＳコード系字形（アウトライン形式字形）を使用するものとして、字形作成手段１２で上記のように各社メインフレームで使用される拡張文字の字形を例えばアウトライン形式で作成し、それぞれに統一文字コードを付与して文字管理ＤＢに格納する（図２（Ａ）、ステップ（Ｓ）１）。コード付与手段１５では、コード変換テーブル１４より所定先のコード変換テーブルを取り込み、文字管理ＤＢ１３より対応した文字を抽出して当該所定先の文字コードを付与する（Ｓ２）。
【００２９】
すなわち、図３（Ａ）に示すように、コード変換テーブル取込部２１によりコード変換テーブル格納手段１４から該当のコード変換テーブルを取り込ませるもので、例えばＡ社コード変換テーブルを取り込む。一方、統一フォントデータ取込部２２により文字管理ＤＢ１３から格納されている統一文字コードが付与された字形を取り込む。そして、文字抽出部２３において、Ａ社コード変換テーブルを参照してＡ社のそれぞれの字形に対応する個別文字コード系のそれぞれについて統一文字コードを得、当該統一文字コードに対応する字形を、統一フォントデータ取込部２２から抽出してコード変換部２４に送る。
【００３０】
一方、コード変換テーブル取込部２１からコード変換部２４に該当のＡ社個別文字コードが送られてくる。コード変換部２４では、文字抽出部２３で抽出した字形の統一文字コードを、コード変換テーブル取込部２１からの個別文字コードに変換し、フォントファイル作成手段２５に送る。これらをＡ社コード変換テーブルに付されている個別文字コードの総てについて行うことで、フォントファイル作成手段２５ではＡ社個別文字コード系のフォントファイルが作成され、このファイルがＰＳフォント化手段１６に送出される。以下、Ｂ社、Ｃ社・・・Ｎ社対応のコード変換テーブルについても同様に処理し、それぞれの総てのフォントファイルがＰＳフォント化手段１６に送出される（Ｓ３）。
【００３１】
フォント化手段１６では、コード付与手段１５より送られてきたＡ社のフォントファイルをＰＳフォント対応のフォーマット形式としてフォント化し、Ａ社コード対応ＰＳフォント１６Ａを作成する（Ｓ４）。同様の処理を他の各社用のコード変換テーブルに対応した対応ＰＳフォント１６Ｂ，１６Ｃ・・・１６Ｎを作成し、これらが印刷手段１７に送出される（Ｓ５）。
【００３２】
印刷手段１７では、図３（Ｂ）に示すように、送られてきた各社対応の上記対応ＰＳフォントを、ＰＳフォント格納手段１７Ａに各社コード対応ＰＳフォント１７Ａ−１，１７Ａ−２，１７Ａ−３・・・１７Ａ−Ｎとして格納するものである（Ｓ６，Ｓ７）。なお、図４では、総てのコード変換テーブルについてフォントファイルを作成し、ＰＳフォント化し、印刷手段１７に格納する場合を示したが、各社毎（コード変換テーブル毎）にフォントファイル作成から印刷手段１７への格納を行ってもよい。この場合、図４において、各社毎（コード変換テーブル毎）にＳ１、Ｓ２、Ｓ４、Ｓ６の流れとなる。
【００３３】
つぎに、図５に、本発明の多フォント対応印刷システムにおける印刷システムの一実施形態の基本構成図を示す。図５において、印刷システム３１は、大別して条件設定手段３３Ａを備えるＰＳファイル作成手段３３と印刷手段１７とにより構成され、当該印刷手段１７には上記のようにＰＳフォント格納手段１７Ａに、各社対応コードＰＳフォント１７Ａ−１，１７Ａ−２，１７Ａ−３・・・１７Ａ−Ｎが格納されている。なお、ＰＳファイル作成手段３３を印刷手段１７に具備させてもよい。
【００３４】
そして、ＰＳファイル作成３３に印刷データファイル３２が入力され、条件設定手段３３Ａでレイアウト、文字サイズ、書体等の属性条件が設定されてＰＳファイルが作成されることで最終的に印刷手段１７で印刷が行われる（図６で説明する）。この場合、印刷データファイル３２は、少なくとも所定先（Ｘ社）のデータと、個別文字コード系の印字データとで構成されている。
【００３５】
そこで、図６に、図５による印刷を説明するためのフローチャートを示す。図６において、例えばＡ社の印刷データファイル３２がＰＳファイル作成手段３３に取り込まれる（Ｓ１１）。ＰＳファイル作成手段３３では、取り込んだ印刷データファイル３２が何れのフォント形式のものであるかを識別し、当該印刷データに、識別したフォント形式の名称（Ａ社）の識別符を付すと共に、条件設定手段３３Ａによる上記条件を設定してＰＳファイルを作成し、印刷手段１７に送出する（Ｓ１２）。すなわち、作成されるＡ社用ＰＳファイルは、上記印刷データファイルに基づいて上記フォント名称を含むＰＳフォント用のページ記述言語によるコマンド形式で作成されて印刷手段１７に送出される。
【００３６】
印刷手段１７では、送られてきたＡ社用ＰＳファイルを取り込んで、当該ＰＳファイルに含まれるフォント名称に基づいてＰＳフォント格納部１７ＡからＡ社コード対応ＰＳフォント１７Ａ−１を選出し（Ｓ１３）、当該Ａ社コード対応ＰＳフォント１７Ａ−１を用いて上記印刷データファイルの内容を印刷するものである（Ｓ１４）。なお、Ａ社以外の印刷データファイルについても同様の処理がなされて印刷されるものである。
【００３７】
このように、印刷手段１７のＰＳフォント格納部１７Ａに各社対応のＰＳフォントを格納しておくことから、ＰＳフォント以外で作成された印刷データ（個別文字コード系）であっても高速、高機能なＰＳプリンタで印刷することができるものである。ところで、印刷手段１７のＰＳフォント格納部１７Ａに従来のＰＳフォントをも格納してもよく、ＰＳフォント印刷データによるものも印刷できようにしておいてもよい。
【００３８】
なお、上記実施形態では、文字管理ＤＢ１３に格納される字形をアウトライン形式とした場合を示したが、ビットマップ形式等でもよく、いずれの場合でも最終的な単一フォント形式に対応したデータ形式に変換すればよい。また、上記実施形態では、単一フォント形式をＰＳフォント形式として説明したが、これに限らず他のページ記述言語によるフォント形式のものでも適用することができることはもちろんである。
【００３９】
【発明の効果】
以上のように、請求項１及び３の発明によれば、他フォント形式の個別文字コード系と統一文字コード系とが関連づけられたテーブルから当該個別文字コード系の字形が統一文字コード系で特定される字形として抽出し、抽出字形の統一文字コードを該当個別文字コードに変換し、単一フォント形式にフォント化したフォントとして印刷手段に他フォント形式毎に格納させておき、他フォント形式の印刷データに基づき当該格納された単一フォント形式にフォント化したフォントを使用して印刷させることにより、単一フォント形式対応の印刷手段であっても多フォント形式にも対応でき、他フォント形式の個別文字コード系で印刷可能とすることができるものである。
【００４０】
請求項２及び４の発明によれば、単一フォント形式のフォントをページ記述言語のフォントに対応させることにより、他フォント形式の印刷データであっても高速、高機能な印刷手段に適用可能とすることができる。
【００４１】
請求項５の発明によれば、他フォント形式による印刷データに基づき、印刷における属性条件を設定して単一フォント形式対応の印刷データファイルを作成し、これで特定された個別コード対応フォントを選出して印刷させることにより、上記同様に単一フォント形式対応の印刷手段であっても他フォント形式の個別文字コード系で印刷可能とすることができる。
【００４２】
請求項６の発明によれば、複数の他フォント形式に対応した必要な総ての字形に統一文字コードを付与することにより、字形を一元的に管理することができると共に、運搬可能とすることができ、既存の単一フォント形式対応の印刷手段にも適用させることができるものである。
【図面の簡単な説明】
【図１】本発明の多フォント対応印刷システムにおけるフォント作成システムの一実施形態の基本構成図である。
【図２】図１の文字管理ＤＢ及びコード変換テーブル格納手段の説明図である。
【図３】図１のコード付与手段及び印刷手段の説明図である。
【図４】図１のフォント作成を説明するためのフローチャートである。
【図５】本発明の多フォント対応印刷システムにおける印刷システムの一実施形態の基本構成図である。
【図６】図５による印刷を説明するためのフローチャートである。
【符号の説明】
１１              フォント作成システム
１２              字形作成手段
１３              文字管理データベース
１４              コード変換テーブル格納手段
１５              コード付与手段
１６              ＰＳフォント化手段
１７              印刷手段
１７Ａ            ＰＳフォント格納部
２１              コード変換テーブル取込部
２２              統一フォントデータ取込部
２３              文字抽出部
２４              コード変換部
２５              フォントファイル作成手段
３１              印刷システム
３２              印刷データファイル
３３              ＰＳファイル作成手段
【図１】
0004259670.tif 000002
【図２】
0004259670.tif 000003
【図３】
0004259670.tif 000004
【図４】
0004259670.tif 000005
【図５】
0004259670.tif 000006
【図６】
0004259670.tif 000007